(57)【要約】      （修正有）【課題】容易な作業でスリーブカバーの中心に直線スリーブを容易に配置することができ、またその状態を安定して維持することが可能な充電部保護部材を提供する。【解決手段】充電部保護部材１は、一対の電線の端部を接続する直線スリーブ２と、直線スリーブ２の周囲を覆うように内部に収容空間が形成されたスリーブカバー３とを備えて構成される。直線スリーブ２は、筒状に形成され、軸方向の中間において外周面から外側に向かって突出する嵌合突起２３を有する。スリーブカバー３は、筒状に形成され、軸方向の中間において嵌合突起２３と嵌合するよう内周壁に形成された嵌合凹部を有する。スリーブカバー３の嵌合突起２３を直線スリーブ２の嵌合凹部に嵌合させるだけで、スリーブカバー３の収容空間の中央に直線スリーブ２を容易に配置することが可能となる。【選択図】図１
2018011390.tif 000002
【特許請求の範囲】
【請求項１】
一対の電線の端部を接続する直線スリーブと、前記直線スリーブの周囲を覆うように内部に収容空間が形成されたスリーブカバーとを備え、
前記直線スリーブは、筒状に形成され、軸方向の中間において外周面から外側に向かって突出する嵌合突起を有し、
前記スリーブカバーは、筒状に形成され、軸方向の中間において前記嵌合突起と嵌合するよう内周壁に形成された嵌合凹部を有することを特徴とする充電部保護部材。
【請求項２】
一対の電線の端部を接続する直線スリーブと、前記直線スリーブの周囲を覆うように内部に収容空間が形成されたスリーブカバーとを備え、
前記スリーブカバーは、筒状に形成され、軸方向の中間において内周面から内側に向かって突出する嵌合突起を有し、
前記直線スリーブは、筒状に形成され、軸方向の中間において前記嵌合突起と嵌合するよう外周壁に形成された嵌合凹部を有することを特徴とする充電部保護部材。
【請求項３】
前記嵌合凹部は、軸方向の中間に向かうにつれて漸次隆起する隆起部の頂部に設けられていることを特徴とする請求項１又は２記載の充電部保護部材。
【請求項４】
前記嵌合凹部は、軸方向の中間を境にしてその両側において突出する突出部の間によって構成され、それぞれの前記突出部は、前記嵌合凹部に向かって突出量が漸次大きくなるテーパ形状に形成されていることを特徴とする請求項１又は２記載の充電部保護部材。
【請求項５】
前記嵌合突起は、前記外周面の周方向の全周に亘って環状に形成され、又は、前記外周面の周方向に間隔を空けて複数形成されていることを特徴とする請求項１乃至４のいずれかに記載の充電部保護部材。
【発明の詳細な説明】
【技術分野】
【０００１】
本発明は、電線同士を接続する直線スリーブ及びこの直線スリーブを覆うスリーブカバーを備えた充電部保護部材に関し、特に、容易にスリーブカバーの中心に直線スリーブを配置することができる充電部保護部材に関する。
【背景技術】
【０００２】
架空電線路の電線同士の接続は、双方の電線の接続部分に直線スリーブを接続した後、絶縁処理としてその接続箇所にスリーブカバーを取り付けることによって行われている。
【０００３】
具体的には、一方の電線の接続部位に予め直線スリーブの一端部を圧縮して接続しておき、いずれか一方の電線にスリーブカバーを挿入した後に、他方の電線の接続部位を直線スリーブの他端部に挿入してこの部分を圧縮して接続する。その後、直線スリーブを覆うようにスリーブカバーを移動させ、スリーブカバーの両端部を粘着性ポリエチレンテープ等で固定する。
このような直線スリーブと、スリーブカバーとしては、例えば、金属製の円筒状の直線スリーブと、この直線スリーブを覆うように合成樹脂の絶縁素材で形成された筒状のスリーブカバーとを用いることが、特許文献１に開示されている。
【先行技術文献】
【特許文献】
【０００４】
【特許文献１】特開２０１５−２１６７４７号公報
【０００５】
ところで、スリーブカバーに巻回されたテープは、長期間にわたり屋外に曝されるため接着力が低下し、風雨によってスリーブカバーが電線上を移動して直線スリーブと電線との接続部が露出する恐れがある。
【０００６】
充電部の露出は、充電事故につながるため、スリーブカバーを設置する際には極力直線スリーブをスリーブカバーの中心に配置し、充電部が露出するリスクを最小限にする必要がある。
【０００７】
しかしながら、上述した従来のスリーブカバーは透明な素材で形成されていないため、作業者が目視にて直線スリーブの中心を確認し、作業者の感覚や、勘によってスリーブカバーを直線スリーブを覆うように移動させて固定するようにしている。
【０００８】
このため、スリーブカバーの中心に直線スリーブを安定して配置することは困難であり、一方に偏ってスリーブカバーが取り付けられることによって充電部が露出しやすくなり、充電事故の発生リスクが高まる問題がある。
【発明の概要】
【発明が解決しようとする課題】
【０００９】
本発明は、係る事情に鑑みてなされたものであり、容易な作業でスリーブカバーの中心に直線スリーブを容易に配置することができ、またその状態を安定して維持することが可能な充電部保護部材を提供することを主たる課題としている。
【課題を解決するための手段】
【００１０】
上記課題を達成するために、本発明に係る充電部保護部材は、一対の電線の端部を接続する直線スリーブと、前記直線スリーブの周囲を覆うように内部に収容空間が形成されたスリーブカバーとを備え、前記直線スリーブは、筒状に形成され、軸方向の中間において外周面から外側に向かって突出する嵌合突起を有し、前記スリーブカバーは、筒状に形成され、軸方向の中間において前記嵌合突起と嵌合するよう内周壁に形成された嵌合凹部を有することを特徴としている。
【００１１】
従って、直線スリーブは、軸方向の中間において外周面から外側に向かって突出する嵌合突起を有し、スリーブカバーは軸方向の中間において嵌合突起と嵌合するよう内周壁に形成された嵌合凹部を有することにより、スリーブカバーを電線に沿って移動させて嵌合突起を直線スリーブの嵌合凹部に嵌合させるだけで、スリーブカバーの収容空間の中央に直線スリーブを容易に配置することが可能となる。
【００１２】
また、一対の電線の端部を接続する直線スリーブと、前記直線スリーブの周囲を覆うように内部に収容空間が形成されたスリーブカバーとを備え、前記スリーブカバーは、筒状に形成され、軸方向の中間において内周面から内側に向かって突出する嵌合突起を有し、前記直線スリーブは、筒状に形成され、軸方向の中間において前記嵌合突起と嵌合するよう外周壁に形成された嵌合凹部を有するようにしてもよい。
【００１３】
したがって、直線スリーブに嵌合凹部を、スリーブカバーに嵌合突起を設けた場合であっても、スリーブカバーを電線に沿って移動させて嵌合突起を直線スリーブの嵌合凹部に嵌合させるだけでスリーブカバーの収容空間の中央に直線スリーブを容易に配置することが可能となる。
【００１４】
ここで、嵌合凹部は、軸方向の中間に向かうにつれて漸次隆起する隆起部の頂部に設けられているようにしてもよい。
スリーブカバーの内周壁を軸方向の中間に向かうにつれて漸次隆起する隆起部の頂部に嵌合凹部が設けられることにより、隆起部がスロープとしての役割を担うことができ嵌合突起を嵌合凹部に嵌合させることが容易になり、また、両部材を嵌合させた後は、隆起部が嵌合突起のストッパの役割を担うことが可能となるため、直線スリーブがスリーブカバーから露出することを防止することが可能となる。
【００１５】
さらに、嵌合凹部は、軸方向の中間を境にしてその両側において突出する突出部の間によって構成され、それぞれの前記突出部は、前記嵌合凹部に向かって突出量が漸次大きくなるテーパ形状に形成されるようにしてもよい。
嵌合凹部は、突出部の間によって構成され、それぞれの突出部は、テーパ形状に形成されることにより、２つの突出部がスロープとしての役割を担うことができ、嵌合突起を嵌合凹部に嵌合させることが容易になる。また、両部材を嵌合させた後は、２つの突出部が嵌合突起に対するストッパとしての役割を担うことができるため、直線スリーブがスリーブカバーから露出することを防止することが可能となる。
【００１６】
尚、嵌合突起は、外周面の周方向の全周に亘って環状に形成されているようにしてもよいし、外周面の周方向に間隔を空けて複数形成されているようにしてもよい。
【発明の効果】
【００１７】
以上述べたように、直線スリーブ（又はスリーブカバーのいずれか一方）の軸方向の中間において嵌合突起が設けられ、スリーブカバー（スリーブカバーに嵌合突起が設けられる場合は直線スリーブ）の軸方向の中間において嵌合突起と嵌合するよう形成された嵌合凹部が設けられることにより、嵌合突起を嵌合凹部に嵌合させるだけで、スリーブカバーの収容空間の中央に直線スリーブを容易に配置することが可能となる。従って、充電部が露出し、充電事故が発生するリスクを最小限にすることができる。
【００１８】
また、嵌合凹部が隆起部の頂部又は突出部間に設けられることにより、隆起部（突出部）が嵌合突起に対するストッパの役割を果たすことができ、嵌合突起の嵌合状態を維持することができる。従って、風雨によりスリーブカバーが移動して電線と直線スリーブとの接続部が露出することを防止することができる。
【図面の簡単な説明】
【００１９】
【図１】図１は、充電部保護部材の外観を示した正面図である。
【図２】図２は、実施例１に係る直線スリーブの斜視図である。
【図３】図３は、軸方向（接続方向）のスリーブカバーの断面図である。
【図４】図４は、充電部保護部材を用いて電線を接続する際のイメージを示した図で、（ａ）は、一方の電線にスリーブカバーを予め差しておく工程を示した図、（ｂ）は、直線スリーブの一端部を一方の電線に圧着させた後に他端部を他方の電線に圧着させる工程を示す図、（ｃ）は、直線スリーブにスリーブカバーを移動させて取り付ける工程を示す図、（ｄ）は、スリーブカバーで直線スリーブを覆いを電線に固定する工程を示す図である。
【図５】図５は、実施例２に係る軸方向（接続方向）に対するスリーブカバーの断面図である。
【図６】図６は、実施例３に係る直線スリーブの斜視図であり、（ａ）は、外周面の周方向に間隔を空けて２つの嵌合突起が形成されているものを示す図、（ｂ）は、外周面の周方向に間隔を空けて４つの嵌合突起が形成されているものを示す図である。
【図７】図７は、実施例４に係る直線スリーブの斜視図である。
【図８】図８は、実施例４に係る軸方向のスリーブカバーの断面図である。
【発明を実施するための形態】
【実施例１】
【００２０】
以下、本発明に係る充電部保護部材について、図面を参照しながら説明する。
【００２１】
図１において示すように、充電部保護部材１は、一対の電線の端部を接続する直線スリーブ２と、直線スリーブ２の周囲を覆うように筒状に形成されスリーブカバー３とを備えて構成されている。
【００２２】
直線スリーブ２は、図２にも示すように、アルミニウム等の導電性素材で円筒状に形成されるものである。
軸方向の一端から他端にかけて内部を貫通して貫通孔２１が形成されており、この貫通孔２１に接続する電線の接続部が挿入される。なお、貫通孔２１の内部には、電線と直線スリーブ２との密着性を高めるために導電性のコンパウンドが混入されている。
【００２３】
直線スリーブ２の外周面には圧縮位置の目安となる目印２２が軸方向の中心から左右７カ所ずつ刻印されている。また、外周面の軸方向の中間には、スリーブカバー３と接続する凸状の嵌合突起２３が形成されている。
嵌合突起２３は、外周面から外側に向かって突出して環状に形成されたもので、周方向の全周に亘って直線スリーブ２と一体に形成されている。
【００２４】
スリーブカバー３は、図３にも示すように、高密度ポリエチレン樹脂等の絶縁部材で形成されるもので、直線スリーブ２を収容する収容空間３１が内部に形成されている。
【００２５】
収容空間３１は、直線スリーブ２の外形に沿うように形成された筒状空間であり、内周面には軸方向の中間に向かうにつれて漸次隆起する隆起部３３が設けられている。軸方向の中間となる隆起部３３の頂部においては、嵌合凹部３２が形成されている。
嵌合凹部３２は、嵌合突起２３と嵌合するように内壁の周方向の全周に亘って一体に形成されている。
嵌合凹部３２の軸方向の長さは、嵌合突起の軸方向の長さと略等しく形成され、嵌合突起２３が嵌合した際に僅かな隙間が形成されるようになっている。
【００２６】
この隆起部３３は、いずれの電線４ａ，４ｂに対しても挿入することができるように、軸方向の一方の端部側（図において右側）から他方の端部側（図において左側）に向かって漸次隆起して形成されると共に、軸方向の他方の端部側から一方の端部に向かって漸次隆起して形成されている。
【００２７】
尚、開口部３４の側面には、電線を挿入し易くするために切れ目３５が設けられている。
この切れ目３５は、軸方向に沿って形成されるもので電線の挿入方向に対して開口部３４が上下に開口するように形成される。
【００２８】
以上で説明した充電部保護部材１を用いて電線同士を接続する場合を説明する。
（１）図４ａに示すように、分離された２本の接続される左右の架空電線４ａ，４ｂの端部の被覆部を所定長さ剥離して裸電線Ｃにし、スリーブカバー３の切れ目３５を接続方向の上下に開口させて一方の架空電線４ａに挿通する。
（２）図４ｂに示すように、架空電線４ａの一方の裸電線Ｃを直線スリーブ２の貫通孔２１の一方から挿入して中心まで通し、直線スリーブ２の外周面に形成された７カ所の目印２２の近傍に対してそれぞれ圧縮工具で圧縮した後、間接活線工具（図示せず）を用いて他方の架空電線４ｂの裸電線Ｃを直線スリーブ２の他方の貫通孔２１に挿入して圧着させる。
（３）その後、図４ｃに示すように、架空電線４ａに挿通したスリーブカバー３の切れ目３５を接続方向の上下に開口させ、嵌合突起２３が隆起部３３を超えて嵌合凹部３２に嵌入する感触が得られるまでスリーブカバー３を架空電線４ｂ側に移動させる。
（４）最後に、図４ｄに示すように、開口端部をポリエチレンテープで巻回して固定する。
【００２９】
以上のように、本発明に係る充電部保護部材１によれば、スリーブカバー３を電線４ａに沿って移動させ、嵌合突起２３を直線スリーブ２の嵌合凹部３２に嵌合させるだけで、スリーブカバー３の収容空間３１の中央に直線スリーブ２を容易に配置することが可能となる。従って、充電部が露出し、充電事故が発生するリスクを最小限にすることができる。
【００３０】
また、スリーブカバー３の内周壁を軸方向の中間に向かうにつれて漸次隆起する隆起部３３の頂部に嵌合凹部３２が設けられることにより、隆起部３３がスロープとしての役割を担うことができ嵌合突起２３を嵌合凹部３２に嵌合させることが容易になり、また、両部材を嵌合させた後は、隆起部３３が嵌合突起２３のストッパの役割を担うことが可能となるため、直線スリーブ２がスリーブカバー３から露出することを防止することが可能となる。
【００３１】
なお、本実施例においては、嵌合突起２３を直線スリーブと一体に形成し、それぞれ別体に構成したもので実施することも可能である。
具体的には、嵌合突起２３をリング状に形成し、直線スリーブ２に圧入することで、又は、リング状の嵌合突起２３を直線スリーブ２に挿入した後に接着剤等で中央に固定するようにしてもよい。
【００３２】
また、嵌合凹部３２をスリーブカバー３と一体に形成するようにしたが、それぞれ別体に構成し、嵌合凹部３２が形成された隆起部３３を収容空間３１に固定して実施することも可能である。
【実施例２】
【００３３】
上記の実施例においては、嵌合凹部３２は、隆起部３３の頂部に設けられるものであったが、スリーブカバー３の軸方向の中間を境にしてその両側において突出する突出部間によって構成されるものであってもよい。
なお、以下の実施例について実施例１と同じ構成については、同一箇所に同一符号を付すことにより説明を省略する。
【００３４】
図５に示すように、嵌合凹部３２は、スリーブカバーの軸方向の中間を境にしてその両側において突出する２つの突出部３６間によって構成されている。
それぞれの突出部３６は、嵌合凹部３２に向かって突出量が漸次大きくなるテーパ形状に形成されている。
ここで、２つの突出部３６間の距離は、嵌合突起２３の軸方向の長さよりも長いものであってもよい。
【００３５】
すなわち、２つの突出部３６間の距離を、嵌合突起の軸方向の長さよりも十分に長くすることで、嵌合突起２３を嵌合凹部３２に嵌入しやすくすることができる。
【００３６】
また、２つの突出部３６間の距離を、嵌合突起２３の軸方向の長さよりも十分に長くすることにより、製造時の誤差により嵌合突起２３の軸方向の長さよりも短くなることを防止することができ、製造コストを低減することが可能である。
【００３７】
このような構成においても、実施例１と同様にスリーブカバー３の収容空間３１の中央に直線スリーブ２を容易に配置することが可能となる。
また、嵌合凹部３２は、突出部３６の間によって構成され、それぞれの突出部３６は、テーパ形状に形成されることにより、２つの突出部３６がスロープとしての役割を担うことができ、嵌合突起２３を嵌合凹部３２に嵌合させることが容易になる。また、両部材２３，３４を嵌合させた後は、２つの突出部３６が嵌合突起２３に対するストッパとしての役割を担うことができるため、直線スリーブ２がスリーブカバー３から露出することを防止することが可能となる。
【実施例３】
【００３８】
上記の実施例においては、嵌合突起は２３、外周面の周方向の全体に亘って形成されるものであったが、外周面の周方向に間隔を空けて複数形成されるものであってもよい。
【００３９】
具体的には図６（ａ）に示すように、２つの嵌合突起２３を周方向に間隔２４を空けて形成するようにして実施してもよい。
なお、嵌合突起２３間は、２以上設けてもよく、例えば、図６（ｂ）に示すように、周方向の４箇所に間隔２４を空けて４つの嵌合突起２３を設けて実施することもできる。
【００４０】
また、嵌合突起２３の形状は、これらの形状に限定されるものではなく、適宜変更して実施することが可能である。
このような構成においても、実施例１及び２と同様にスリーブカバー３の収容空間３１の中央に直線スリーブ２を容易に配置することが可能となる。
また、２つの嵌合突起２３を周方向に間隔２４を空けて形成することにより、充電部保護部材の軽量化を図ることができ、製造コスト及び輸送コストの低減を図ることができる。
【実施例４】
【００４１】
上記の実施例においては、直線スリーブ２に嵌合突起２３が設けられ、スリーブカバー３に嵌合凹部３２が設けられるものであったが、直線スリーブ２に嵌合凹部を設け、スリーブカバー３に嵌合突起を設けて実施してもよい。
【００４２】
図７に示すように、直線スリーブ２は、軸方向の中間に向かうにつれて漸次隆起する隆起部２５が設けられている。そして軸方向の中間となる隆起部２５の頂部には、嵌合凹部２６が形成されている。
【００４３】
図８に示すように、スリーブカバー３は、収容空間３１の軸方向の中間に、直線スリーブ２の嵌合凹部２６と接続する凸状の嵌合突起３７が形成されている。
【００４４】
したがって、直線スリーブ２に嵌合凹部２６を、スリーブカバー３に嵌合突起３７を設けた場合であっても、前記実施例と同様の作用効果が得られ、スリーブカバー３の嵌合突起３７を直線スリーブ２の嵌合凹部２６に嵌合させるだけでスリーブカバー３の収容空間３１の中央に直線スリーブ２を容易に配置することが可能となる。
【符号の説明】
【００４５】
１  充電部保護部材
２  直線スリーブ
２３  嵌合突起
２５  隆起部
２６  嵌合凹部
３  スリーブカバー
３１  収容空間
３３  隆起部
３４  嵌合凹部
３６  突出部
３７  嵌合突起
４ａ，４ｂ  架空電線
【図１】
2018011390.tif 000003
【図２】
2018011390.tif 000004
【図３】
2018011390.tif 000005
【図４】
2018011390.tif 000006
【図５】
2018011390.tif 000007
【図６】
2018011390.tif 000008
【図７】
2018011390.tif 000009
【図８】
2018011390.tif 000010